(57)【要約】【課題】給電装置から電力の供給を受け付ける画像処理装置において、適切な動作モードでジョブを実行することを目的とする。【解決手段】前記画像処理装置の外部の給電装置から電力の供給を受ける接続部と、前記給電装置が前記画像処理装置に対して供給可能な電力である供給可能電力を示す電力情報を取得する取得部と、消費電力が異なる複数の動作モードのうち、前記取得された前記電力情報が示す供給可能電力に基づく動作モードで、画像処理のためのジョブを実行する制御部と、を有する画像処理装置を提供することで課題を解決する。【選択図】図２
2019097107.tif 000002
【特許請求の範囲】
【請求項１】
画像処理装置であって、
前記画像処理装置の外部の給電装置から電力の供給を受ける接続部と、
前記給電装置が前記画像処理装置に対して供給可能な電力である供給可能電力を示す電力情報を取得する取得部と、
消費電力が異なる複数の動作モードのうち、前記取得された前記電力情報が示す供給可能電力に基づく動作モードで、画像処理のためのジョブを実行する制御部と、を有することを特徴とする画像処理装置。
【請求項２】
前記制御部は、消費電力が前記供給可能電力を超えない動作モードのうち最も大きい消費電力の動作モードで前記ジョブを実行することを特徴とする請求項１に記載の画像処理装置。
【請求項３】
前記制御部は、消費電力が前記供給可能電力を超えない動作モードがない場合、前記ジョブを実行しないことを特徴とする請求項１または２に記載の画像処理装置。
【請求項４】
消費電力が前記供給可能電力を超えない動作モードがない場合、前記ジョブを実行しないことをユーザに通知する通知部をさらに有することを特徴とする請求項３に記載の画像処理装置。
【請求項５】
前記供給可能電力と前記動作モードとの対応関係を示す管理情報を記録する記録部をさらに有し、
前記制御部は、前記管理情報において前記電力情報が示す供給可能電力と対応する動作モードで前記ジョブを実行することを特徴とする請求項１ないし４のいずれか１項に記載の画像処理装置。
【請求項６】
前記制御部は、前記ジョブの実行中に前記供給可能電力が変化する場合、変化後の供給可能電力に基づいて、前記ジョブを実行している動作モードを制御することを特徴とする請求項１ないし５のいずれか１項に記載の画像処理装置。
【請求項７】
前記制御部は、前記変化後の供給可能電力が前記ジョブを実行している動作モードの消費電力を超えない場合、当該動作モードを維持することを特徴とする、請求項６に記載の画像処理装置。
【請求項８】
前記制御部は、前記変化後の供給可能電力が前記ジョブを実行している動作モードの消費電力を超える場合、当該動作モードを前記消費電力が前記変化後の供給可能電力を超えない動作モードに切り替えることを特徴とする請求項６または７に記載の画像処理装置。
【請求項９】
前記制御部は、前記変化後の供給可能電力が前記ジョブを実行している動作モードの消費電力を超え、かつ消費電力が前記変化後の供給可能電力を超えない動作モードがない場合、前記ジョブの実行を停止することを特徴とする請求項６ないし８のいずれか１項に記載の画像処理装置。
【請求項１０】
前記変化後の供給可能電力が前記ジョブを実行している動作モードの消費電力を超え、かつ消費電力が前記変化後の供給可能電力を超えない動作モードがない場合、前記ジョブを実行しないことをユーザに通知する通知部をさらに有することを特徴とする請求項９に記載の画像処理装置。
【請求項１１】
前記ジョブの実行を指示する実行命令を受け付ける入力部をさらに有し、
前記制御部は、第１のジョブの実行中に前記入力部が、実行中の前記第１のジョブと異なる第２のジョブの実行を指示する前記実行命令を受け付けた場合、前記供給可能電力に基づいて、前記動作モードのうち前記実行中のジョブと前記実行命令に応じたジョブとを同時に実行可能な動作モードが存在するか否かを判断し、当該動作モードが存在する場合、当該動作モードで各ジョブを同時に実行することを特徴とする請求項１ないし１０のいずれか１項に記載の画像処理装置。
【請求項１２】
前記接続部は、ＵＳＢパワーデリバリーまたはパワーオーバーイーサネット(登録商標)に従って、前記給電装置から電力の供給を受けることを特徴とする請求項１ないし１１のいずれか１項に記載の画像処理装置。
【請求項１３】
当該画像処理装置は、記録剤によって記録媒体上に画像を記録する記録装置であり、
前記ジョブは、前記画像を記録するためのジョブであることを特徴とする請求項１ないし１２のいずれか１項に記載の画像処理装置。
【請求項１４】
前記複数の動作モードは、動作制限を行わない動作モードと、記録媒体を搬送させるためのモータ及び記録ヘッドを搭載したキャリッジを移動させるためのモータを含む複数のモータを排他的に駆動する動作モードと、を含むことを特徴とする請求項１３に記載の画像処理装置。
【請求項１５】
当該画像処理装置は、記録媒体上の画像を読み取る読み取り装置であり、
前記ジョブは、前記記録媒体上の前記画像を読み取るためのジョブであることを特徴とする請求項１ないし１４のいずれか１項に記載の画像処理装置。
【請求項１６】
前記複数の動作モードは、動作制限を行わない動作モードと、画像を読み取るための光源の光量を下げる動作モードと、を含むことを特徴とする請求項１５に記載の画像処理装置。
【請求項１７】
前記複数の動作モードは、動作制限を行わない動作モードと、読取原稿を搬送するためのモータの回転数を小さくする動作モードと、を含むことを特徴とする請求項１５に記載の画像処理装置。
【請求項１８】
画像処理装置の制御方法であって、
前記画像処理装置の外部の給電装置から電力の供給を受ける受け付けステップと、
前記給電装置が前記画像処理装置に対して供給可能な電力である供給可能電力を示す電力情報を取得する取得ステップと、
消費電力が異なる複数の動作モードのうち、前記取得された前記電力情報が示す供給可能電力に基づく動作モードで、画像処理のためのジョブを実行する制御ステップと、を有することを特徴とする制御方法。
【請求項１９】
画像処理装置のコンピュータに、
前記画像処理装置の外部の給電装置から電力の供給を受ける受け付けステップと、
前記給電装置が前記画像処理装置に対して供給可能な電力である供給可能電力を示す電力情報を取得する取得ステップと、
消費電力が異なる複数の動作モードのうち、前記取得された前記電力情報が示す供給可能電力に基づく動作モードで、画像処理のためのジョブを実行する制御ステップと、を実行させることを特徴とするプログラム。
【発明の詳細な説明】
【技術分野】
【０００１】
本発明は、画像処理装置、制御方法及びプログラムに関する。
【背景技術】
【０００２】
消費電力が異なる複数の動作モードのうちいずれかの動作モードでジョブを処理する画像処理装置が知られている。
特許文献１には、消費電力を低減することが可能な複数の電力低減手法をユーザに提示し、ユーザにて選択された電力低減手法を用いて消費電力を低減させる記録装置が開示されている。
【先行技術文献】
【特許文献】
【０００３】
【特許文献１】特開２０１１−１５９０４７号公報
【発明の概要】
【発明が解決しようとする課題】
【０００４】
ところで、ＵＳＢ・ＰＤ（ＵＳＢパワーデリバリー：USB Power Delivery）のような、給電装置から、画像処理装置のような受電装置に対して電力を供給するための電力供給規格が知られている。このような電力供給規格によって給電装置から受電する受電装置において、ジョブを実行する際の動作モードを適切に制御することが要望されている。
しかしながら、特許文献１に開示された技術では、ユーザが手動で電力低減手法（動作モード）を選択する必要があり、ユーザによっては、動作モードが適切に選択されないことがあるという課題がある。そのため、上述のような受電装置に、特許文献１に開示された技術を適用すると、ジョブが適切な動作モードで実行されないことがあるという課題がある。
【０００５】
本発明は、上記の問題を鑑みてなされたものであり、給電装置から電力の供給を受け付ける画像処理装置において、適切な動作モードでジョブを実行することを目的とする。
【課題を解決するための手段】
【０００６】
本発明による画像処理装置は、画像処理装置であって、
前記画像処理装置の外部の給電装置から電力の供給を受ける接続部と、
前記給電装置が前記画像処理装置に対して供給可能な電力である供給可能電力を示す電力情報を取得する取得部と、
消費電力が異なる複数の動作モードのうち、前記取得された前記電力情報が示す供給可能電力に基づく動作モードで、画像処理のためのジョブを実行する制御部と、を有することを特徴とする。
【発明の効果】
【０００７】
本発明によれば、給電装置から電力の供給を受け付ける画像処理装置において、適切な動作モードでジョブを実行することが可能になる。
【図面の簡単な説明】
【０００８】
【図１】本発明の第１の実施形態に係る電力システムを示す概略構成図である。
【図２】本発明の第１の実施形態に係る記録装置のハードウェアの構成を示すブロック図である。
【図３】本発明の第１の実施形態に係る記録装置の機能的な構成を示すソフトウェア構成図である
【図４】記録装置の機能とその機能の実行に係る最大消費電力との関係を示す図である。
【図５】プロファイルと供給可能電力との対応を示す図である。
【図６】記録装置の給電状態と各機能を実行する実行モードとの対応を示す図である。
【図７】プリント機能のジョブと実行モードとの関係を示す図である。
【図８】スキャン機能のジョブと実行モードとの関係を示す図である。
【図９】本発明の第１の実施形態に係る記録装置の動作の一例を説明するためのフローチャートである。
【図１０】本発明の第１の実施形態に係る記録装置の動作の別の例を説明するためのフローチャートである。
【図１１】本発明の第１の実施形態に係る記録装置の動作の別の例を説明するためのフローチャートである。
【図１２】通知情報の一例を示す図である。
【図１３】本発明の第２の実施形態に係る記録装置の動作の一例を説明するためのフローチャートである。
【図１４】本発明の第３の実施形態に係る記録装置の動作の一例を説明するためのフローチャートである。
【発明を実施するための形態】
【０００９】
以下、本発明の実施形態について図面を参照して説明する。なお、各図面において同じ機能を有するものには同じ符号を付け、その説明を省略する場合がある。
（第１の実施形態）
本発明を適用した画像処理装置及び、本発明を適用した記録装置に対して給電を行う給電装置について説明する。本実施形態において、画像処理装置として、記録装置であり、記録剤としてインクを用いて記録媒体上に画像を形成するインクジェット方式のマルチファンクションプリンタ（ＭＦＰ）を例示している。なお、記録装置は、フルカラープリンタやモノクロプリンタであっても良いし、印刷方式は、インクジェット方式に限定されず、例えば、電子写真方式であっても良い。また、画像処理装置は、記録媒体上の画像や文字を読み取る読み取り装置（スキャナ）であっても良いし、記録機能と読み取り機能の両方を備えていても良い。また、本実施形態において、給電装置としてパーソナルコンピュータ（ＰＣ）を例示している。なお、給電装置は、画像処理装置への給電機能を有する装置であれば良く、例えば、スマートホン、ＰＣ、タブレット端末、ＰＤＡ、デジタルカメラ、ハードディスク（ＨＤＤ）、画像処理装置に取り付け可能なオプション機器等の装置でもあっても良い。
図１は、本発明の第１の実施形態に係る電力システムを示す概略構成図である。図１に示す電力システムは、給電装置１０と、記録装置２０とを有する。給電装置１０および記録装置２０は、ケーブル３０を介して互いに電気的に接続されている。ケーブル３０は、電力伝送および通信の両方に対応したケーブルである。
給電装置１０は、商用電源などの外部電源（図１では、図示せず）と電気的に接続する電源ケーブル１１を備え、外部電源から電源ケーブル１１を介して供給された電力を、ケーブル３０を介して記録装置２０に供給する。また、給電装置１０は、ケーブル３０を介して記録装置２０と通信可能である。
記録装置２０は、給電装置１０からケーブル３０を介して供給された電力で動作する電気機器（受電装置）であり、紙などの記録媒体に画像を記録する。記録装置２０は、ケーブル３０を介して給電装置１０と通信可能である。また、記録装置２０は、外部電源と電気的に接続する電源ケーブル２１を備えており、外部電源から電源ケーブル２１を介して供給された電力で動作することもできる。
給電装置１０から記録装置２０に対して電力を供給するための電力供給規格は、本実施形態では、ＵＳＢ・ＰＢ（ＵＳＢパワーデリバリー）である。このため、ケーブル３０は、ＵＳＢ・ＰＢに対応したＵＳＢケーブルである。
【００１０】
図２は、記録装置２０のハードウェアの構成を示すブロック図である。図２に示すように記録装置２０は、プリンタ部２０１と、スキャナ部２０２と、ＵＩ（User Interface）部２０３と、主制御部２０４とを有する。
プリンタ部２０１は、記録媒体に対して画像を記録する記録部である。本実施形態では、プリンタ部２０１は、画像を記録する記録ヘッドとしてインクなどの液体を吐出する複数の吐出口を備えた液体吐出ヘッド（図示せず）を有し、液体吐出ヘッドを用いて画像を記録する。液体の色は複数あり、液体吐出ヘッドには、色ごとに吐出口が設けられている。
スキャナ部２０２は、読取原稿から画像を読み取る読取部である。スキャナ部２０２は、ＬＥＤ（Light Emitting Diode）のような読取原稿に光を照射する光源（図示せず）を有し、光源の光に対する読取原稿からの反射光に基づいて画像を読み取る。光源は、複数あり、各光源は、それぞれ異なる色の光を照射する。
ＵＩ部２０３は、ユーザに対して入出力を行う入出力部である。ＵＩ部２０３は、例えば、種々の情報を出力してユーザに通知する通知部である出力部（図示せず）と、ユーザから種々の情報を受け付ける入力部（図示せず）とを含む。出力部は、例えば、ＬＣＤ（liquid crystal display）のような種々の情報を表示する表示部などである。ＵＩ部２０３（具体的には、入力部）は、例えば、ユーザから、記録装置２０に備わった機能に係るジョブ（処理）の実行を指示する実行命令や、記録装置２０を起動するための起動指示などを受け付ける。
主制御部２０４は、エンジンＩＦ（Interface：インターフェイス）部２１１と、スキャナＩＦ部２１２と、操作ＩＦ部２１３と、ＵＳＢＩＦ部２１４と、ネットワークＩＦ部２１５と、電源部２１６とを有する。また、主制御部２０４は、ＲＯＭ（Read Only Memory）２１７と、ＲＡＭ（Random access memory）２１８と、ＣＰＵ（Central Processing Unit）２１９とを有する。主制御部２０４の各部は、システムバス２２０を介して相互に接続されている。
エンジンＩＦ部２１１は、プリンタ部２０１と信号の送受を行う。スキャナＩＦ部２１２は、スキャナ部２０２との信号の送受を行う。操作ＩＦ部２１３は、ＵＩ部２０３と信号の送受を行う。
ＵＳＢＩＦ部２１４は、図１に示したケーブル３０を介して給電装置１０と接続する接続部である。ＵＳＢＩＦ部２１４は、ＵＳＢ・ＰＤに従って給電装置１０から電力の供給を受け、その電力を記録装置２０の各部に供給する。また、ＵＳＢＩＦ部２１４は、給電装置１０と通信し、給電装置１０と信号の送受を行う。
ネットワークＩＦ部２１５は、インターネットなどのネットワーク（図示せず）を介して外部装置と通信可能に接続し、外部装置と信号の送受を行う。外部装置は、給電装置１０でもよいし、給電装置１０とは別の装置でもよいが、本実施形態では、給電装置１０である。電源部２１６は、外部電源４０から電力の供給を受け、その電力を記録装置２０の各部に供給する。外部電源４０は、例えば、商用電源などである。
ＲＯＭ２１７は、ＣＰＵ２１９にて読み取り可能な記録媒体であり、ＣＰＵ２１９の動作を規定するプログラムを記録する。プログラムは、ＯＳ（Operating System：オペレーティングシステム）、ミドルウェアおよびアプリケーションプログラムを含む。また、ＲＯＭ２１７は、ＣＰＵ２１９が動作中に使用する種々の管理情報を記憶する。ＲＡＭ２１８は、ＲＯＭ２１７に記録されたプログラムによる演算処理のワーク領域として使用される。ＣＰＵ２１９は、ＲＯＭ２１７に記録されたプログラムを読み取り、その読み取ったプログラムを実行することで、記録装置２０全体を制御する。
例えば、ＣＰＵ２１９は、ＵＩ部２０３が受け付けた実行命令に応じたジョブを実行する。このとき、ＣＰＵ２１９は、ＵＳＢＩＦ部２１４を介して給電装置１０との間で、供給可能電力を決定するネゴシエーションを行い、供給可能電力を示す電力情報であるプロファイルを給電装置１０から取得する。ＣＰＵ２１９は、プロファイルが示す供給可能電力に基づいて、ジョブを制御して記録装置２０の消費電力を制御する電力制御処理を行う。以下では、主に電力制御処理に関して説明する。
なお、図２に示した記録装置２０のハードウェア構成は、単なる一例であって、この例に限らない。例えば、記録装置２０は、ＦＡＸ機能を実現するための構成などを有していてもよい。また、ＵＳＢＩＦ部２１４およびネットワークＩＦ部２１５が給電装置１０から実行命令を受け付けてもよい。この場合、ＵＳＢＩＦ部２１４およびネットワークＩＦ部２１５が実行命令を受け付ける入力部として機能する。
【００１１】
図３は、ＣＰＵ２１９にて実現される機能的な構成を示すソフトウェア構成図である。図３に示すようにＣＰＵ２１９は、ＯＳにて実現されるオペレーティングシステム部３１０と、ミドルウェアにて実現されるミドルウェア部３２０と、アプリケーションプログラムにて実現されるアプリケーション部３３０とを含む。
オペレーティングシステム部３１０は、ミドルウェア部３２０を介してアプリケーション部３３０の動作を管理する。ミドルウェア部３２０は、オペレーティングシステム部３１０とアプリケーション部３３０とを仲介する。ミドルウェア部３２０は、例えば、オペレーティングシステム部３１０と協働して、エンジンＩＦ部２１１、スキャナＩＦ部２１２、操作ＩＦ部２１３、ＵＳＢＩＦ部２１４およびネットワークＩＦ部２１５を介した信号の送受などを行う。以下では、オペレーティングシステム部３１０が行う処理については、その詳細な説明を省略する。
ミドルウェア部３２０は、プリンタ制御部３２１と、スキャナ制御部３２２と、電源管理部３２３と、ＩＦ制御部３２４と、ＵＩ制御部３２５とを有する。
プリンタ制御部３２１は、エンジンＩＦ部２１１を介してプリンタ部２０１と信号の送受を行うことで、プリンタ部２０１を制御する。スキャナ制御部３２２は、スキャナＩＦ部２１２を介してスキャナ部２０２と信号の送受を行うことで、スキャナ部２０２を制御する。
電源管理部３２３は、記録装置２０の電源状態を管理する。電源状態は、記録装置２０が外部電源４０と接続しているＡＣ接続状態か、記録装置２０が外部電源４０と接続しておらず、かつ、給電装置１０と接続しているＵＳＢ接続状態かを電源接続状態として示す。また、電源状態は、給電装置１０および外部電源４０から供給されている供給電力を示す。電源管理部３２３は、例えば、現在の電源状態を取得したり、電源状態が変化したか否かを監視したりする。
ＩＦ制御部３２４は、ＵＳＢＩＦ部２１４およびネットワークＩＦ部２１５を介して給電装置１０と通信する。例えば、ＩＦ制御部３２４は、ＵＳＢＩＦ部２１４またはネットワークＩＦ部２１５を介して給電装置１０から実行命令を受信する。また、ＩＦ制御部３２４は、給電装置１０との間でネゴシエーションを行い、給電装置１０からプロファイルを取得する取得部として機能する。例えば、ＩＦ制御部３２４は、ＵＳＢＩＦ部２１４を介して給電装置１０に対して供給可能電力を問い合わせ、ＵＳＢＩＦ部２１４を介して給電装置１０からプロファイルを取得する。
ＵＩ制御部３２５は、操作ＩＦ部２１３を介してＵＩ部２０３と通信する。例えば、ＵＩ制御部３２５は、ＵＩ部２０３から実行命令を受信する。
アプリケーション部３３０は、ミドルウェア部３２０と協働して電力制御処理を行う制御部である。アプリケーション部３３０は、電力管理部３３１と、ジョブ管理部３３２とを有する。
電力管理部３３１は、記録装置２０の給電状態に基づいて、ＵＩ制御部３２５が受信した実行命令に応じたジョブを実行する動作モードである実行モードを決定する。給電状態は、電源管理部３２３が取得した電源状態内の電源接続状態と、ＩＦ制御部３２４が取得したプロファイルが示す供給可能電力とを含む。動作モードは、本実施形態では、ジョブごとに複数あり、各動作モードは、ジョブの実行にかかる消費電力が異なる。ここでジョブの実行にかかる消費電力は、具体的には、ジョブの実行中の消費電力のピーク値を示す。
実行モードの決定は、例えば、以下のように行われる。
先ず、記録装置２０の給電状態と動作モードとの対応関係を示す動作モード表を管理情報としてＲＯＭ２１７に予め記録させておく。そして電力管理部３３１は、動作モード表においてプロファイルが示す供給可能電力と対応する動作モードを実行モードとして決定する。動作モード表において、供給可能電力と対応する動作モードは、供給可能電力を超えない消費電力を有する動作モードである。このとき、供給可能電力と対応する動作モードを、消費電力が供給可能電力を超えない動作モードのうち最も大きい消費電力の動作モードとすることが望ましい。
なお、供給可能電力を超えない消費電力を有する動作モードが存在しない場合、電力管理部３３１は、ジョブが実行できない動作不可を実行モードとして判断する。
ジョブ管理部３３２は、種々のジョブを管理する。具体的には、ジョブ管理部３３２は、ＵＩ制御部３２５が受信した実行命令に応じたジョブを、電力管理部３３１が決定した実行モードで実行する。なお、実行モードが動作不可を示す場合には、ジョブ管理部３３２は、ジョブの実行を中止する
【００１２】
以下、具体例を用いて記録装置２０の動作について説明する。
図４は、記録装置２０の機能とその機能の実行に係る最大消費電力との関係を示す図である。図４では、記録装置２０の機能として、システム起動、記録装置起動、プリント機能、スキャン機能およびコピー機能が示されている。
システム起動は、ＣＰＵ２１９を起動してプログラムを実行できる状態にする機能である。記録装置起動は、操作ＩＦ部２１３、ＵＳＢＩＦ部２１４およびネットワークＩＦ部２１５などに電力を供給して、記録装置２０を待機状態にする機能である。プリント機能は、プリンタ部２０１を用いて画像を記録する機能である。スキャン機能は、スキャナ部２０２を用いて画像を読み取る機能である。コピー機能は、スキャン機能およびコピー機能からなり、プリンタ部２０１およびスキャナ部２０２を用いて、画像を読み取りつつ、その読み取った画像を記録する機能である。
図４では、システム起動、記録装置起動、プリント機能、スキャン機能およびコピー機能の最大消費電力をそれぞれ、１Ｗ、４Ｗ、１８Ｗ、１０Ｗおよび２５Ｗとしている。しかしながら、これらの値は単なる一例であって、最大消費電力は、記録装置２０のモータの数、プリンタ部２０１の吐出口の数、ＦＡＸ機能の有無などの記録装置２０の構成に応じて変化する。なお、最大消費電力は、機能を実現するための種々の構成の使用方法などに応じて決まるため、シミュレーションによる計算や実測などによって求めることができる。
【００１３】
図５は、ＩＦ制御部３２４が取得したプロファイルと供給可能電力との対応を示す図である。
図５に示すように本実施形態の電力供給規格であるＵＳＢ・ＰＤでは、ＵＳＢ・ＰＤ専用のプロファイル１〜５と、過去のＵＳＢ規格であるＵＳＢ２．０、ＵＳＢ３．０およびＵＳＢ・ＢＣ（USB Battery Charging）とに対応している。過去のＵＳＢ規格は、ネゴシエーションを行うことができないため、供給可能電力は一定である。ＵＳＢ・ＰＤでは、ネゴシエーションによりプロファイル１〜５のいずれかが選択される。
プロファイル１は、携帯電話機などへの給電が可能なプロファイルである。プロファイル２は、タブレット型端末などへの給電が可能なプロファイルである。プロファイル３は、ノート型パソコンなどへの給電が可能なプロファイルである。プロファイル４は、タワー型パソコンなどへの給電が可能なプロファイルである。プロファイル５は、サーバのような大型なコンピュータなどへの給電が可能なプロファイルである。
【００１４】
図６は、記録装置２０の給電状態と各機能を実行する実行モードとの対応を示す図である。図６では、記録装置２０の機能として、プリント機能、スキャン機能およびコピー機能が示されている。
プリント機能は、ジョブの動作モードとして、プリントモード（Print Mode）Ｐ１およびＰ２を有する。プリントモードＰ１は、動作制限を行わない動作モードであり、その消費電力は最大消費電力である２５Ｗである。プリントモードＰ２は、プリントモードＰ１では同期駆動する複数のモータを排他的に駆動することで消費電力を低減させる動作モードであり、その消費電力は１０Ｗである。モータは、記録媒体を搬送させるためのモータや記録ヘッドを搭載したキャリッジを移動させるためのモータなどを含む。
スキャン機能は、ジョブの動作モードとして、スキャンモード(Scan ModeS1）Ｓ１およびＳ２を有する。スキャンモードＳ１は、動作制限を行わない動作モードであり、その消費電力は最大消費電力である１０Ｗである。スキャンモードＳ２は、画像を読み取るための光源の光量を下げたり、読取原稿を搬送するためのモータの回転数を小さくしたりして消費電力を低減する動作モードであり、その消費電力は７Ｗである。
コピー機能は、ジョブの動作モードとして、コピーモード（Copy Mode）Ｃ１〜Ｃ３を有する。コピーモードＣ１は、動作制限を行わない動作モードである。具体的には、コピーモードＣ１は、スキャン機能のスキャンモードＳ１とプリント機能のプリントモードＰ１を同時に実行するモードであり、その消費電力は最大消費電力である２５Ｗである。コピーモードＣ２は、スキャン機能とプリント機能を排他的に実行することで消費電力を低減する動作モードである。つまり、コピーモードＣ２は、スキャン機能を用いて読み取った画像をＲＡＭ２１８に一時的に記録し、その後、スキャン機能を停止してからプリント機能を用いて画像を記録する動作モードである。コピーモードＣ２の消費電力は１８Ｗである。コピーモードＣ３は、スキャン機能とプリント機能とを排他的に行い、かつ、プリント機能の実行時にプリントモードＰ２を実行する動作モードである。コピーモードＣ３の消費電力は、７Ｗである。
ＡＣ接続状態の場合、外部電源４０から１０００Ｗ以上の電力が供給されるため、供給可能電力が各機能の最大消費電力よりも十分に大きく、各機能の動作に制限を設ける必要がない。このため、実行モードは、各機能において、最大消費電力を有する動作モードであるプリントモードＰ１、スキャンモードＳ１およびコピーモードＣ１となる。
ＵＳＢ接続状態の場合、給電装置１０からの給電可能電力に応じて各機能の実行モードが異なる。
例えば、プリント機能では、実行モードは、給電可能電力が１８Ｗ以上の場合、プリントモードＰ１となり、給電可能電力が１０Ｗ〜１７Ｗの場合、プリントモードＰ２となる。また、給電可能電力が１０Ｗ未満の場合、プリント機能は動作不可となる。
スキャン機能では、実行モードは、給電可能電力が１０Ｗ以上の場合、スキャンモードＳ１となり、給電可能電力が７Ｗ〜９Ｗの場合、スキャンモードＳ２となる。また、給電可能電力が７Ｗ未満の場合、プリント機能は動作不可となる。
コピー機能では、実行モードは、給電可能電力が２５Ｗ以上の場合、コピーモードＣ１となり、給電可能電力が１８Ｗ〜２４Ｗの場合、コピーモードＣ２となり、供給可能電力が１０Ｗ〜１７Ｗの場合、コピーモードＣ３となる。また、給電可能電力が１０Ｗ未満の場合、コピー機能は動作不可となる。
なお、図４に示したシステム起動および記録装置起動は、複数の動作モードを有しておらず、単に最大消費電力が供給可能電力を超えていない場合に動作し、最大消費電力が供給可能電力を超えると、動作不可となる。
【００１５】
図６では、各機能に１つのジョブを対応させていたが、同じ機能でも、パラメータの設定値が異なる複数のジョブが存在し、各ジョブの消費電力が異なることがある。このため、同じ機能でも、ジョブごとに動作モードを変更することも可能である。具体的には、ジョブに含まれる設定情報や、画像データのサイズ、解像度等から、ジョブを処理するにあたって必要な消費電力を特定し、特定された消費電力と給電状態とを参照することで、ジョブに対応する動作モードを特定する。
図７は、プリント機能のジョブと実行モードとの関係を示す図である。図７では、供給可能電力が１０Ｗ〜１７Ｗの場合におけるプリント機能のジョブの実行モードが設定値に応じて細分化されている。
プリント機能のジョブは、パラメータとして、「色合い」と「印刷品位」とを有する。「色合い」は、設定値として、画像をカラーで記録する「カラー」と、画像を白黒で記録する「白黒」とを有する。「印刷品位」は、設定値として、画像を高品位で記録する「キレイ」と、画像を中品位で記録する「標準」と、画像を低品位で記録する「早い」を有する。
プリンタ部２０１は、液体の色ごとに異なる吐出口を備えており、白黒の画像を記録する場合、カラーの画像を記録する場合と比べて、使用する吐出口の数が少ない。このため、消費電力は、「カラー」よりも「白黒」の方が小さくなる。
また、印刷品位が低いほど、早い速度で画像を記録することができる。早い速度で画像を記録するためには、記録媒体の搬送用のモータや液体吐出ヘッドを備えたキャリッジを移動させるためのモータを高速で駆動する必要がある。このため、印刷品位が低くなるほど、消費電力が大きくなる。
したがって、図６の例では、供給可能電力が１０Ｗ〜１７Ｗの場合、動作制限を行うプリントモードＰ２を実行モードとしていたが、設定値によっては、動作制限を行う必要がない場合がある。図７の例では、供給可能電力が１０Ｗ〜１７Ｗの場合、各パラメータの設定値に応じて、実行モードを、プリントモードＰ１と同様に動作制限を行わないプリントモードＰ２＿１と、動作制限を行うプリントモードＰ２＿２とのいずれかに設定している。具体的には、実行モードは、設定値が「キレイ」かつ「カラー」、「キレイ」かつ「白黒」、および、「標準」かつ「白黒」の場合、プリントモードＰ２＿１であり、それ以外の場合、プリントモードＰ２＿２である。
【００１６】
図８は、スキャン機能のジョブと実行モードとの関係を示す図である。図８では、供給可能電力が７Ｗ〜９Ｗの場合におけるスキャン機能のジョブの実行モードが設定値に応じて細分化されている。
スキャン機能のジョブは、パラメータとして、「色合い」と「解像度」とを有する。「色合い」は、設定値として、画像をカラーで読み取る「カラー」と、画像を白黒で読み取る「白黒」とを有する。「解像度」は、設定値として「６００ｄｐｉ」、「３００ｄｐｉ」および「１５０ｄｐｉ」を有する。
スキャナ部２０２は、読取原稿から色を読み取るために、出射する光の色が異なる複数の光源を備えており、白黒で画像を読み取る場合、カラーで画像を読み取る場合と比べて、点灯する光源の数が少ない。このため、消費電力は、「カラー」よりも「白黒」の方が小さくなる。
また、解像度が低いほど、早い速度で読取原稿から画像を読み取ることができるため、解像度が小さくなるほど、消費電力は大きくなる。
したがって、図６の例では、供給可能電力が７Ｗ〜９Ｗの場合、動作制限を行うスキャンモードＳ２を実行モードとしていたが、設定値によっては、動作制限を行う必要がない場合がある。図８の例では、
供給可能電力が７Ｗ〜９Ｗの場合、各パラメータの設定値に応じて、実行モードを、スキャンモードＳ１と同様に動作制限を行わないスキャンモードＳ２＿１と、動作制限を行うスキャンモードＳ２＿２とのいずれかに設定している。具体的には、実行モードは、設定値が「６００ｄｐｉ」かつ「カラー」、「６００ｄｐｉ」かつ「白黒」、「３００ｄｐｉ」かつ「カラー」、および、「３００ｄｐｉ」かつ「白黒」の場合、スキャンモードＳ２＿１であり。これら以外の場合、実行モードは、スキャンモードＳ２＿２である。
【００１７】
図９は、記録装置２０に給電装置１０または外部電源４０が接続され、記録装置２０に電力が供給された際の動作を説明するためのフローチャートである。
先ず、記録装置２０に電力が供給されると、ＣＰＵ２１９は、ＲＯＭ２１７に記録されたプログラムを読み取り、その読み取ったプログラムを実行することで、図３に示したソフトウェア構成を構築する。
そして、電力管理部３３１は、電源管理部３２３に対して電源接続状態がＡＣ接続状態か否かを問い合わせる（ステップＳ１０１）。
電源接続状態がＡＣ接続状態の場合、電力管理部３３１は、給電状態としてＡＣ接続状態を示す給電状態情報をＲＡＭ２１８に記録して（ステップＳ１０２）、動作を終了する。一方、給電状態がＵＳＢ接続状態の場合、電力管理部３３１は、ＩＦ制御部３２４に給電装置１０とのネゴシエーションを実行させ、プロファイルを取得させる（ステップＳ１０３）。電力管理部３３１は、ＩＦ制御部３２４が取得したプロファイルにて示される給電可能電力を給電状態として示す給電状態情報をＲＡＭ２１８に記録して（ステップＳ１０４）、動作を終了する。
【００１８】
図１０は、記録装置２０のＵＩ部２０３に起動指示が入力され、記録装置２０を起動する際の動作を説明するためのフローチャートである。
先ず、電力管理部３３１は、ＲＡＭ２１８に記録された給電状態情報が示す給電状態を確認し（ステップＳ２０１）、給電状態情報がＡＣ接続状態を示すか否かを判断する（ステップＳ２０２）。
給電状態情報がＡＣ接続状態を示さない場合、電力管理部３３１は、給電状態が示す供給可能電力が閾値以上か否かを確認する（ステップＳ２０３）。閾値は、記録装置起動が可能な電力の最低値であり、本実施形態では、４Ｗである。
ステップＳ２０２で給電状態情報がＡＣ接続状態を示す場合、および、ステップＳ２０３で供給可能電力が４Ｗ以上の場合、電力管理部３３１は、記録装置起動が可能と判断する。電力管理部３３１は、実際に記録装置起動を行い、記録装置２０を待機状態にして（ステップＳ２０４）、動作を終了する。一方、ステップＳ２０３で供給可能電力が４Ｗ未満の場合、電力管理部３３１は、記録装置起動ができないため、記録装置起動を中止し（ステップＳ２０５）、動作を終了する。
【００１９】
図１１は、ＵＩ部２０３が実行命令を受け付けた際の動作を説明するフローチャートである。
先ず、ＵＩ部２０３は、実行命令を受け付けると、その実行命令を、操作ＩＦ部２１３を介してＩＦ制御部３２４に送信する。ＩＦ制御部３２４が実行命令を受信すると、ジョブ管理部３３２は、その実行命令に応じたジョブを特定し、そのジョブを電力管理部３３１に通知する。電力管理部３３１は、ジョブが通知されると、ＲＡＭ２１８に記録された給電状態情報が示す給電状態を確認する（ステップＳ３０１）。
電力管理部３３１は、ＲＯＭ２１７に記録されている動作モード表において、ステップＳ３０１で確認した給電状態に対応する動作モードを実行モードとして決定し、その実行モードをジョブ管理部３３２に通知する（ステップＳ３０２）。ジョブ管理部３３２は、通知された実行モードが動作不可であるか否かを判断する（ステップＳ３０３）。
実行モードが動作不可でない場合、ジョブ管理部３３２は、実行命令に応じたジョブを通知された実行モードで実行し（ステップＳ３０４）、動作を終了する。一方、実行モードが動作不可の場合、ジョブ管理部３３２は、ジョブを中止する（ステップＳ３０５）。そしてジョブ管理部３３２は、ＵＩ制御部３２５および操作ＩＦ部２１３を介して、ジョブを中止した旨の通知情報を、ＵＩ部２０３に通知させ（ステップＳ３０６）、動作を終了する。
図１２は、通知情報の一例を示す図である。図１２に示す通知情報１２００は、ＵＩ部２０３の表示部に表示するための情報であり、ジョブの実行を中止した旨のメッセージ１２０１を含む。
なお、ステップＳ３０６でジョブ管理部３３２は、通知情報を、ＩＦ制御部３２４およびＵＳＢＩＦ部２１４を介して給電装置１０に送信することで、給電装置１０に通知させてもよい。この場合、記録装置２０がＵＩ部２０３またはＵＩ部２０３内の出力部を備えていない場合でも、通知情報を通知することができる。
【００２０】
以上説明したように本実施形態によれば、ＵＳＢＩＦ部２１４は、給電装置１０から電力の供給を受ける接続部と、ＩＦ制御部３２４は、給電装置１０が供給可能な電力である供給可能電力を示すプロファイルを取得する。アプリケーション部３３０は、ＩＦ制御部３２４にて取得されたプロファイルが示す供給可能電力に基づいて、ジョブを制御する。このため給電装置１０が供給可能な供給可能電力に基づいて、ジョブが制御されるため、ユーザが供給可能電力を把握しなくても、ジョブの制御により消費電力を低減させることが可能になる。したがって、消費電力を適切に低減させることが可能になる。
また、本実施形態では、アプリケーション部３３０は、供給可能電力に基づいて、消費電力が異なる複数の動作モードのいずれかでジョブを実行する。このため、適切な動作モードでジョブを実行すればよいため、消費電力を容易にかつ適切に低減させることが可能になる。
また、本実施形態では、アプリケーション部３３０は、消費電力が供給可能電力を超えない動作モードのうち最も大きい消費電力の動作モードでジョブを実行する。このため、消費電力が必要以上に低くなることを抑制することが可能になるため、消費電力をより適切に低減させることが可能になる。
また、本実施形態では、ＲＯＭ２１７は、供給可能電力と動作モードとの対応関係を示す動作モード表を記録する。アプリケーション部３３０は、ＲＯＭ２１７に記録された動作モード表においてプロファイルが示す供給可能電力と対応する動作モードでジョブを実行する。このため、複雑な処理を行わなくても、適切な動作モードでジョブを実行することができるため、消費電力を容易にかつ適切に低減させることが可能になる。
【００２１】
（第２の実施形態）
本実施形態では、記録装置２０の電源状態が変化した場合に対応することができる記録装置２０について説明する。なお、記録装置２０の構成は、第１の実施形態と同様である。
図１３は、記録装置２０の電源状態が変化した際の動作を説明するためのフローチャートである。記録装置２０の電源状態の変化は、電源ケーブル２１やケーブル３０の挿抜などによって生じ、電源管理部３２３がその電源状態の変化を検知する。
電源状態が変化すると、電力管理部３３１は、図９で説明したステップＳ１０１〜Ｓ１０４の処理を行い、給電状態情報をＲＡＭ２１８に記録するとともに、その給電状態情報が示す給電状態を確認する（ステップＳ４０１）。電力管理部３３１は、給電状態がＡＣ接続状態か、または、供給可能電力が閾値である４Ｗ以上か否かを判断する（ステップＳ４０２）。
給電状態情報がＡＣ接続状態でない、または、供給可能電力が４Ｗ未満の場合、電力管理部３３１は、記録装置２０を駆動し続けることができないと判断して、記録装置２０を停止し（ステップＳ４０３）、動作を終了する。一方、給電状態情報がＡＣ接続状態、または、給電電力が４Ｗ以上の場合、電力管理部３３１は、ジョブ管理部３３２にジョブが実行中か否かを問い合わせる（ステップＳ４０４）。
ジョブが実行中でない場合、電力管理部３３１は、動作を終了する。一方ジョブが実行中の場合、電力管理部３３１は、ジョブ管理部３３２にジョブを実行している実行モードを問い合わせ、その実行モードの消費電力が供給可能電力を超えているか否かを判断する（ステップＳ４０５）。
実行モードの消費電力が供給可能電力を超えていない場合、電力管理部３３１は、動作を終了する。一方、実行モードの消費電力が供給可能電力を超えている場合、電力管理部３３１は、ＲＯＭ２１７に記録されている動作モード表において、ステップＳ３０１で確認した給電状態に対応する動作モードを新たな実行モードとして決定する。電力管理部３３１は、決定した新たな実行モードをジョブ管理部３３２に通知する（ステップＳ４０６）。ジョブ管理部３３２は、通知された新たな実行モードが動作不可であるか否かを判断する（ステップＳ４０７）。
新たな実行モードが動作不可でない場合、ジョブ管理部３３２は、実行中のジョブの実行モードを新たな実行モードに変更して（ステップＳ４０８）、動作を終了する。一方、実行モードが動作不可の場合、ジョブ管理部３３２は、ジョブを中止し、ＵＩ制御部３２５および操作ＩＦ部２１３を介して、ジョブを中止した旨の通知情報を、ＵＩ部２０３に通知させ（ステップＳ４０９）、動作を終了する。なお、通知情報は、例えば、図１２で示した通知情報１２００である。
【００２２】
以上のように本実施形態では、アプリケーション部３３０は、ジョブの実行中に供給可能電力が変化した場合、その変化後の供給可能電力に基づいて、ジョブを実行している実行モードを制御することになる。具体的には、変化後の供給可能電力が実行モードの消費電力を超えていない場合、アプリケーション部３３０は、その実行モードを維持する。一方、変化後の供給可能電力が実行モードの消費電力を超えた場合、アプリケーション部３３０は、実行モードを、変化後の供給可能電力を超えていない消費電力を有する動作モードに切り替える。
したがって、本実施形態では、ジョブの実行中に供給可能電力が変化しても、適切な動作モードでジョブを実行できるため、消費電力を適切に低減させることが可能になる。
【００２３】
（第３の実施形態）
本実施形態では、プリント機能およびスキャン機能のような複数の機能を独立して同時に実行させることができる記録装置２０の例を説明する。なお、記録装置２０の構成は、第１の実施形態と同様である。
図１４は、本実施形態の記録装置２０の動作を説明するためのフローチャートである。
先ず、ＵＩ部２０３は、実行命令を受け付けると、その実行命令を、操作ＩＦ部２１３を介してＩＦ制御部３２４に送信する。ＩＦ制御部３２４が実行命令を受信すると、ジョブ管理部３３２は、その実行命令に応じたジョブを特定し、そのジョブを電力管理部３３１に通知する。電力管理部３３１は、ジョブが通知されると、ＲＡＭ２１８に記録された給電状態情報が示す給電状態を確認する（ステップＳ５０１）。
また、電力管理部３３１は、ジョブ管理部３３２にジョブが実行中か否かを問い合わせる（ステップＳ５０２）。ジョブが実行中でない場合、図１１を用いて説明したステップＳ３０２〜Ｓ３０６の処理が実行される。
一方、ジョブが実行中の場合、電力管理部３３１は、ステップＳ５０１で確認した給電状態に基づいて、実行中のジョブである第１のジョブと、実行命令に応じた第２のジョブが同時に実行可能か否かを判断する（ステップＳ５０３）。
具体的には、先ず、各機能のジョブの動作モードと消費電力との対応関係を示す消費電力表を管理情報としてＲＯＭ２１７に予め記録させておく。そして電力管理部３３１は、ＲＯＭ２１７に記録されている消費電力表に基づいて、第１のジョブの動作モードと第２のジョブの動作モードの組のうち、それらの動作モードの消費電力の和が供給可能電力を超えない組が存在するか否かを判断する。
ステップＳ５０３で第１のジョブと第２のジョブが同時に実行可能である場合、電力管理部３３１は、第１のジョブと第２のジョブが同時に実行可能である各ジョブの動作モードをそれぞれ実行モードとして決定する（ステップＳ５０４）。
例えば、第１のジョブがプリント機能のジョブであるプリントジョブ、第２のジョブがスキャン機能のジョブであるスキャンジョブであり、プリントジョブがプリントモードＰ１で実行されている場合を考える。この場合、電力管理部３３１は、プリントジョブの動作モードとスキャンモードの動作モードの組ごとに、組内の各動作モードの消費電力の和が供給可能電力を超えないか否かの判断を、所定の順番で行う。そして、電力管理部３３１は、消費電力の和が供給可能電力を超えない組が見つかると、その組内の各動作モードを実行モードとして決定する。所定の順番は、プリントジョブの現在の実行モードを出来る限り維持するように決定されることが望ましい。例えば、所定の順番は、プリントモードＰ１およびスキャンモードＳ１の組、プリントモードＰ１およびスキャンモードＳ２の組、プリントモードＰ２およびスキャンモードＳ２の組の順である。
実行モードを決定すると、電力管理部３３１は、それらの実行モードをジョブ管理部３３２に通知する。ジョブ管理部３３２は、第１のジョブおよび第２のジョブのそれぞれを、電力管理部３３１から通知された実行モードで同時に実行して（ステップＳ５０５）、動作を終了する。
一方、ステップＳ５０３で第１のジョブと第２のジョブが同時に実行可能でない場合、電力管理部３３１は、第１のジョブと第２のジョブが同時に実行可能でない旨をジョブ管理部３３２に通知する。ジョブ管理部３３２は、その旨を受けると、第２のジョブを、第１のジョブの終了後に実行する待機ジョブとして設定し（ステップＳ５０６）、動作を終了する。
【００２４】
以上のように本実施形態では、アプリケーション部３３０は、ジョブの実行中にＵＩ部２０３が実行命令を受け付けた場合、供給可能電力に基づいて、実行中のジョブと実行命令に応じたジョブとを同時に実行可能な動作モードが存在するか否かを判断する。同時に実行可能な動作モードが存在する場合、アプリケーション部３３０は、その動作モードで各ジョブを同時に実行する。
したがって、給電可能電力に応じて複数のジョブを適切な動作モードで同時に実行することが可能になるため、ユーザの利便性を向上させることが可能になる。
【００２５】
以上説明した各実施形態において、図示した構成は単なる一例であって、本発明はその構成に限定されるものではない。
例えば、各実施形態では、給電装置１０から電力の供給を受ける受電装置として記録装置２０を用いていたが、受電装置は、記録装置２０に限らず、給電装置１０から電力の供給を受けることができる電気機器であればよい。
また、各実施形態では、給電装置１０から記録装置２０に対して電力を供給するための電力供給規格としてＵＳＢ・ＰＢが使用されていたが、電力供給規格は、ＵＳＢ・ＰＢに限らない。例えば、電力供給規格は、ＩＥＥＥ８０２．３ａｆとして標準化されているパワーオーバーイーサネット(登録商標)などでもよい。
また、図３で示したアプリケーション部３３０の機能は、給電装置１０が備えていてもよい。この場合、動作モード表などの電力制御処理に必要な種々の情報を記録装置２０から給電装置１０に提供する。また、給電装置１０は、提供された情報に基づいて、実行可能な記録装置２０の機能や、記録装置２０への給電電力を増加させる方法などをユーザに通知してもよい。
上述の実施形態は、上述の実施形態の１以上の機能を実現するプログラムをネットワーク又は記憶媒体を介してシステム又は装置に供給し、そのシステム又は装置のコンピュータにおける１つ以上のプロセッサーがプログラムを実行する処理でも実現可能である。また、上述の実施形態は、１以上の機能を実現する回路（例えば、ＡＳＩＣ）によっても実現可能である。
【符号の説明】
【００２６】
１０      給電装置
２０      記録装置（電気機器）
【図１】
2019097107.tif 000003
【図２】
2019097107.tif 000004
【図３】
2019097107.tif 000005
【図４】
2019097107.tif 000006
【図５】
2019097107.tif 000007
【図６】
2019097107.tif 000008
【図７】
2019097107.tif 000009
【図８】
2019097107.tif 000010
【図９】
2019097107.tif 000011
【図１０】
2019097107.tif 000012
【図１１】
2019097107.tif 000013
【図１２】
2019097107.tif 000014
【図１３】
2019097107.tif 000015
【図１４】
2019097107.tif 000016